(57)【要約】【課題】ゴルファー自身に適合する形状と重量のヘッドを容易に備えることが可能なゴルフクラブを提供する。【解決手段】本発明はゴルフクラブのヘッドアセンブリーに関するもので、特にパターのヘッドの打面に対して反対方向の後方へ延びる様々な形状の延長部材を具備し、延長部材の底面側にボルトの締結で交換が可能な多段階の重量体を具備することが可能なことなどを特徴とする。重量体の重量ディスクなどがゴルファーによって任意で交換可能になるようにすることで、自身の体形、打球の習慣、体重に最適の重量を備えるパターが任意で設定でき、更に、段階別の実力増進に従って、パターのヘッドアセンブリーの重量を調節することができる有用性を有する。【選択図】図２
2007029494.tif 000002
【特許請求の範囲】
【請求項１】
ゴルフクラブのヘッドアセンブリーであって、
前記ゴルフクラブのヘッドに、そのヘッドの打面に対して反対方向の後方へ延びる形状で形成された延長部材を備え、
前記延長部材の底面側にボルトの締結で交換が可能な多段階の重量体を具備することが可能なことを特徴とするゴルフクラブのヘッドアセンブリー。
【請求項２】
ゴルフクラブのヘッドアセンブリーであって、
前記ゴルフクラブのヘッドの底面部に、陥入した空間部としての装着空間を形成し、前記装着空間の底面にボルト固定で交換が可能な多段階の重量体を具備することが可能なことを特徴とするゴルフクラブのヘッドアセンブリー。
【請求項３】
ゴルフクラブのヘッドアセンブリーであって、
前記ゴルフクラブのヘッドの打面に対して反対方向の後方に、ヘッドのボディー部の中央に視覚的な接近性を提供するための中空体である収容具体を具備し、前記収容具体である中空体の底面から延長してボルトで交換が可能な多段階の重量体を具備することが可能なことを特徴とするゴルフクラブのヘッドアセンブリー。
【請求項４】
前記重量体は、多段階の重量段階を備えるように設定されたディスクまたはボール形状の重量体であることを特徴とする請求項１ないし３のいずれか１項に記載のゴルフクラブのヘッドアセンブリー。
【発明の詳細な説明】
【技術分野】
【０００１】
本発明はゴルフクラブのヘッドアセンブリーに関するもので、詳しくは、特にパターに適用することに適合した構成のゴルフクラブの改善に関するものである。
【背景技術】
【０００２】
ゴルフはマインドのゲームと呼ばれるほどで心理的な要因が重要な要素であり、各個人の性格が反映されるから正確なゴルフの感覚を形成するのが難しく、特に、初心者の場合は性急なゴルフクラブの運用で望ましくないゴルフの姿勢が身に付いてこのような姿勢を容易に修正しにくい問題点がある。一般的なゴルフクラブの場合、自身に適合な形状と重量のヘッドを備える物を選定するのが容易ではなく、更に、自身の実力の増進または有り様に従ってパターのヘッドアセンブリーの重量を変更する必要がある。
【発明の開示】
【発明が解決しようとする課題】
【０００３】
このような場合、従来はすべてのゴルフクラブを交換しなければならないから、また、変更されたゴルフクラブの使用感を身に付けるのに多くの時間がかかり、更に経費が増大する問題点がある。
【０００４】
本発明のゴルフクラブのヘッドアセンブリーは、特に、パターのヘッドの重量を選択的に選定することができ、打撃のためのダウンスイングのときに打球力を増大し、重量を任意で増減させることで、更に、打球の直進性と密接な関連を有するヘッドの流動を極小化する構成のゴルフクラブ、特にパターのヘッドの提供に関するものである。即ち、本発明の主要な技術的な目的は自身に最適のヘッドアセンブリーを決定して運用できる有用性があるゴルフクラブのヘッドアセンブリーを提供することにある。
【課題を解決するための手段及び発明の効果】
【０００５】
上記課題を解決するための本発明のゴルフクラブのヘッドアセンブリーは、
ゴルフクラブのヘッドに、そのヘッドの打面に対して反対方向の後方へ延びた形状で形成された延長部材を備え、
延長部材の底面側にボルトの締結で交換が可能な多段階の重量体を具備することが可能なことを特徴とする。
【０００６】
上記構成によれば、多段階的に設定された重量体の中から任意の重量体を、ゴルフクラブのヘッドに形成された延長部材の底面側に、ゴルファーが任意に交換可能とすることで、自分の体形、打球習慣、体重に当たる最適の重量を有するゴルフクラブを任意で設定することができる。
【０００７】
また本発明のゴルフクラブのヘッドアセンブリーは、
ゴルフクラブパターのヘッドの底面部に、陥入した空間部としての装着空間を形成し、装着空間の底面にボルト固定で交換が可能な多段階の重量体を具備することが可能なことを特徴とする。
【０００８】
上記構成によれば、ゴルフクラブのヘッドの底面部に、陥入した空間部としての装着空間を形成することから、その装着空間に多段階の重量体を具備することができ、これにより、自分の体形、打球習慣、体重に当たる最適の重量を有するゴルフクラブを任意で設定することができる。
【０００９】
さらに本発明のゴルフクラブのヘッドアセンブリーは、
ゴルフクラブのヘッドの打面に対して反対方向の後方に、ヘッドのボディー部の中央に視覚的な接近性を提供するための中空体である収容具体を具備し、収容具体である中空体の底面から延長してボルトで交換が可能な多段階の重量体を具備することが可能なことを特徴とする。
【００１０】
上記構成によれば、ゴルフクラブのヘッドアセンブリーは、収容具体を有することから、多段階の重量体を具備することができ、これにより、自分の体形、打球習慣、体重に当たる最適の重量を有するゴルフクラブを任意で設定することができる。
【００１１】
そして重量体は、多段階の重量段階を備えるように設定されたディスクまたはボール形状の重量体である。この重量体をヘッドアセンブリーに具備することにより、最適の重量を有するゴルフクラブとすることができる。
【発明を実施するための最良の形態】
【００１２】
以下、添附される図面と共に本発明のパターのヘッドアセンブリーの構成と作用効果を詳しく説明する。
【００１３】
本発明では例示的な構成を実施例として説明し、更に、制限的な形状のパターを主として説明しているが、様々な形状、種類、各メーカーに従うすべてのパター、進んで、形相的で類似性を有する他のゴルフクラブ、即ち、ドライバ、フェアウェーウッド、アイアンなどの種々のゴルフクラブのヘッドに適用が可能なことは勿論である。
【００１４】
図１から図５ｂまでは本発明のパターのヘッドアセンブリーが様々な形状のパターに適用された場合を各々の実施例において説明する。本発明が適用されるのに好ましい構成のパターＰ１は、一般的な中実体、中空体などで成形され、シャフトＳが付けられるヘッドＨ１のヘッド上面１０の中央から後方へ延長される板状部材であり、その上面に一体形の様々な形状の視線ガイド部２１を有するガイド板２０が一体で成形されて構成されている。しかしながら図示する構成のパターＰ１に限定されなく、従来のどのような種類と形状のパターでも適用が可能なことは勿論である。
【００１５】
ガイド板２０はゴルフボール（図示せず）への打撃のときに、ゴルファーの視線を集中させるように、その上面に、図に表すように、ガイド線２２を有する視線ガイド部２１が形成されているが、本発明でこのような視線ガイド部が必ずしも備えられなければならないわけではない。
【００１６】
ヘッドＨ１と一体のガイド板２０の後方の底面位置Ｐにボルト孔２３が穿設されており、当ボルト孔２３は貫通孔ではなく、下方から進入してガイド板２０の厚さの方向の中間位置まで穿設された閉塞のボルト孔である。これについて、様々な実験で設定され、段階的に重量が増大される色々な形状体、好ましくは図示するような、ディスク、ボール等の形状の金属重量体である複数個の重量ディスク３０、３０’、３０”は、その中心に固定軸部３１、３１’、３１”を一体として具備して形成され、固定軸部３１、３１’、３１”の端部では上記のボルト孔２３にボルト固定されるねじ山３２、３２’、３２”が形成されている。複数個の重量ディスク３０、３０’、３０”は、その重量が段階的に異なるものとして形成されて、本発明のパターのヘッドアセンブリーとセットで提供されることで、ゴルファーがボルト孔２３とねじ山３２、３２’、３２”で任意の交換が可能に構成されてなる。
【００１７】
もちろん、上記とは異なり、固定軸部３１、３１’、３１”がガイド板２０の底面に密着固定され、固定軸部３１、３１’、３１”の端部にねじ山を形成し、重量ディスク３０、３０’、３０”にボルト孔を形成するように構成する場合も同一の効果を得ることができる。
【００１８】
図４ａ、ｂに形状が異なる構成のパターＰ２に適用される本発明の第２実施例の構成を図示する。パターＰ２のヘッドＨ２は、フェース面Ｆから反対方向に向かって、視線を誘導するための視線ガイド線５１が形成された視線ガイド板５０が形成され、底面部ＬＷに陥入した空間部としての装着空間Ｅが形成されている。上記装着空間Ｅの内方の中心に直立して固定される軸部として、金属棒材、スプリング、軟質棒状体などの固定軸部６１を備え、固定軸部６１の端部にスチール材などの重量ディスク６０が固定されている。
【００１９】
重量ディスク６０は、段階的に重量が相異するように形成されて提供され、上記の実施例と同様に固定軸部６１の端部のねじ山とガイド板５０の装着空間Ｅの底面Ｅ１に穿設されたボルト孔(図示せず)とによって交換締結が可能である。
【００２０】
図５ａ、ｂは上記と同様な技術的な思想で他の形状構成のパターＰ３に適用された本発明の第３実施例を表す。パターＰ３のヘッドＨ３は、打面Ｆの反対側のボディー部Ｂの中央に視覚的な接近性を提供する収容具体９０を附加的に具備している。
【００２１】
収容具体９０は、ヘッドＨと一体または別途成形されて付着される中空体で、その外形がゴルフボールの一部形状体、鋼球体などの形状体として内部に開放の空間を有し、底面の開放面ＯＰで外部に開放された中空空間部の収容空間ＲＳを有する中空体である。上記の構成の収容具体９０は、本発明の主要な重量調節の効果の他に、打球のときにゴルフボールと視覚的に親密な接近性を増大することで、打球の直進性を増大する効果も有する。
【００２２】
収容具体９０の収容空間ＲＳには下方へ直立固定される固定棒９１が固定され、固定棒９１の端部には重量の調節のために前述の実施例同様に多段階的に設定される複数個の重量ディスク９２が固定棒９１の端部のねじ山９１’と螺合するボルト孔９２’で締結自由に構成されている。
【００２３】
上記のような構成の本発明のパターのヘッドアセンブリーは、多段階的に設定された重量体の重量ディスクをゴルファーが任意に交換可能とすることで、自分の体形、打球習慣、体重に当たる最適の重量を有するパターを任意で設定することができ、更に、段階別の実力増進に従って、パターのヘッドアセンブリーの重量を調節し得る有用性を有する。
【図面の簡単な説明】
【００２４】
【図１】本発明のヘッドアセンブリーの第1実施例が適用された例示的なパターの後方から見た斜視図。
【図２】図１の正面図。
【図３】図１の応用状態を表す斜視図。
【図４ａ】本発明のヘッドアセンブリーが他の形状のパターに適用された第２実施例を表す例示的なパターの斜視図。
【図４ｂ】図４ａの底面斜視図。
【図５ａ】本発明のヘッドアセンブリーが他の形状のパターに適用された第３実施例を表すパターの後方から見た斜視図。
【図５ｂ】図５ａのＡ−Ａ線の切断面を表す断面図。
【符号の説明】
【００２５】
２０    ガイド板
２２    ガイド線
３０、３０’、３０”  重量ディスク
３１、３１’、３１”  固定軸部
３２、３２’、３２”  ねじ山
５０    ガイド板
６０    重量ディスク
６１    固定軸部
９０    収容具体
【図１】
2007029494.tif 000003
【図２】
2007029494.tif 000004
【図３】
2007029494.tif 000005
【図４ａ】
2007029494.tif 000006
【図４ｂ】
2007029494.tif 000007
【図５ａ】
2007029494.tif 000008
【図５ｂ】
2007029494.tif 000009